(57)【要約】【課題】定着ベルトの耐久性を劣化させることなく、速やかに記録モードに復帰することができる定着装置を提供することを目的とする。【解決手段】本発明の定着装置は、加熱手段の温度を変更する温度変更手段と、前記加熱手段による定着用移動部材の加熱時間を検出する加熱時間検出手段と、前記温度変更手段によって変更された前記加熱手段の温度、ならびに、前記加熱時間検出手段によって検出された加熱時間とに基づき、前記定着用移動部材を過熱から保護する保護手段を備える。【選択図】　　図３
2004045868.tif 000002
【特許請求の範囲】
【請求項１】
加熱源を備えた加熱手段と、
前記加熱手段に接触して移動可能に設けられ、前記加熱手段によって加熱された状態で被記録媒体と接触することにより前記被記録媒体上に記録像を定着する定着用移動部材と、
前記加熱手段の温度を変更する温度変更手段と、
前記加熱手段による前記定着用移動部材の加熱時間を検出する加熱時間検出手段と、
前記温度変更手段によって変更された前記加熱手段の温度、ならびに、前記加熱時間検出手段によって検出された加熱時間とに基づき、前記定着用移動部材を過熱から保護する保護手段を設けたことを特徴とする定着装置。
【請求項２】
加熱ローラと、
前記加熱ローラに接触して移動可能に設けられ、前記加熱ローラによって加熱された状態で被記録媒体と接触することにより前記被記録媒体上に記録像を定着する定着ベルトと、
前記加熱ローラの温度を、記録時よりも待機状態時に高温に切り替える温度切替手段と、
前記加熱ローラが前記定着ベルトを加熱する時間を検出する加熱時間検出手段と、
待機状態において、前記温度切替手段によって切り替えられた前記加熱ローラの温度、ならびに、前記加熱時間検出手段によって検出された加熱時間とに基づき、前記定着ベルトを所定のタイミングで移動させて前記定着ローラを過熱から保護する保護手段とを有することを特徴とする定着装置。
【請求項３】
加熱ローラと、
前記加熱ローラに接触して移動可能に設けられ、前記加熱ローラによって加熱された状態で被記録媒体と接触することにより前記被記録媒体上に記録像を定着する定着ベルトと、
前記加熱ローラの温度を、記録時よりも待機状態時に高温に切り替える温度切替手段と、
前記加熱ローラが前記定着ベルトを加熱する時間を検出する加熱時間検出手段と、
待機状態において、前記温度切替手段によって切り替えられた前記加熱ローラの温度、ならびに、前記加熱時間検出手段によって検出された加熱時間とに基づき、前記定着ベルトを所定のタイミングで移動させて前記定着ベルトを過熱から保護する保護手段と、
前記定着ベルトの移動回数が所定の回数に達した場合、前記加熱ローラの温度を再度変更して温度設定する設定手段を有することを特徴とする定着装置。
【請求項４】
前記設定手段は、前記加熱ローラの温度を変更する際に、前記定着ベルトを移動させるタイミングもあわせて変更することを特徴とする請求項３記載の定着装置。
【請求項５】
加熱された状態で、被記録媒体と接触することにより、前記被記録媒体上に記録像を定着する定着用移動部材の温度制御方法において、
前記定着用移動部材を加熱する加熱ステップと、
前記加熱ステップによって加熱された前記定着用移動部材を移動させつつ前記被記録媒体と接触させることにより、前記被記録媒体上に記録像を定着する定着ステップと、
前記定着ステップが終了した後、前記定着用移動部材の加熱温度を変更する温度変更ステップと、
前記温度変更ステップにて変更された温度にて、前記定着用移動部材が加熱される時間を検出する加熱時間検出ステップと、
前記加熱時間検出ステップにて検出される加熱時間に応じて、前記定着用移動部材を移動させ、前記定着用移動部材を過熱から保護する保護ステップとを有することを特徴とする定着用移動部材の温度制御方法。
【発明の詳細な説明】
【０００１】
【発明の属する技術分野】
本発明は、複写機、プリンタなどの乾式の電子写真装置において現像剤を用紙などに定着する定着装置に関する。
【０００２】
【従来の技術】
特開平１０―３１２１３２号に開示されているように、複写機や、プリンタなどに用いられる定着装置として、一対のローラ間にベルトを掛け渡し、さらに別のローラと上述のベルトとの間でニップ部を形成してこのニップ部で定着を行うように構成したものがある。このような定着装置では、ベルトを掛け渡したローラのうちの１つにヒータランプを内蔵させてベルトを加熱し、ニップ部へ供給された用紙に加熱したベルトを接触させることにより、用紙上に現像剤像を定着する。
【０００３】
この定着装置においては、記録動作開始の指示に基づき記録モードに入り、かつ定着処理された用紙の後端検知に基づいて、記録モードを終了し、レディ状態に移行する。記録モードではニップ部付近のベルト温度が約１６０度となるようヒータランプを内蔵したローラの表面の温度は１７０度に設定されている。
【０００４】
一方、レディ中は、ベルトの回転が停止し、その状態で定着装置が放置されるため、ベルトの温度が急速に低下する。このため、放置された後、速やかに記録モードに復帰できるようにするため、レディ中のヒータランプ内蔵ローラの温度を、記録モード時よりも高温に設定することが試みられている。
【０００５】
上述した定着用のベルトは、ニッケル電鋳やポリイミドなどの基材上に表層として弾性を有するシリコーンゴムを用いたものである。シリコーンゴム自体は現像剤に対する離型性が悪いため、一般的にはシリコーンゴムにシリコーンオイルを含浸させる、あるいは表面にシリコーンオイルを塗布するなどにより、用紙上の現像剤が定着装置に溶融付着するという、いわゆるオフセット現象を防止している。
【０００６】
しかしながら、このような定着ベルトを用いて定着装置の温度を高温にして待機させた場合、シリコーンゴム中に含浸されているシリコーンオイルがゲル化し、離型性が低下するという問題が生じた。定着装置の温度が高く、定着用ベルトが高温状態にさらされる程、シリコーンオイルのゲル化が顕著となり、定着ベルトはその寿命が短くなり、耐久性が劣化する。
【０００７】
もちろん、定着ベルトの保護という観点からは、レディ状態での定着装置の温度を低下させれば上記問題は解決する。しかし、それではレディ解除後記録モードに復帰させる際に、定着ベルトの温度が１６０度に戻るまでに時間を要するので、ファーストコピーが遅くなってしまう。
【０００８】
【発明が解決しようとする課題】
上記した通り、ベルト式の定着装置では、レディ時の定着装置の待機温度を上げると、ベルトの耐久性が悪くなり、オフセット現象を招きやすい。逆に待機温度を下げると、レディ解除後定着装置が使用可能なレベルに復帰するまでの時間が長くなり、ユーザにとっては非常に使いものとなる。
【０００９】
そこで本発明は、定着ベルトの耐久性を劣化させることなく、速やかに記録モードに復帰することができる定着装置ならびに定着用移動部材の温度制御方法を提供することを目的とする。
【００１０】
【課題を解決するための手段】
本発明は上記課題を解決するために、加熱源を備えた加熱手段と、前記加熱手段に接触して移動可能に設けられ、前記加熱手段によって加熱された状態で被記録媒体と接触することにより前記被記録媒体上に記録像を定着する定着用移動部材と、前記加熱手段の温度を変更する温度変更手段と、前記加熱手段による前記定着用移動部材の加熱時間を検出する加熱時間検出手段と、前記温度変更手段によって変更された前記加熱手段の温度、ならびに、前記加熱時間検出手段によって検出された加熱時間とに基づき、前記移動部材を過熱から保護する保護手段を設けたことを特徴とする定着装置を提供する。
【００１１】
また本発明は、加熱された状態で、被記録媒体と接触することにより、前記被記録媒体上に記録像を定着する定着用移動部材の温度制御方法において、前記定着用移動部材を加熱する加熱ステップと、前記加熱ステップによって加熱された前記定着用移動部材を移動させつつ前記被記録媒体と接触させることにより、前記被記録媒体上に記録像を定着する定着ステップと、前記定着ステップが終了した後、前記定着用移動部材の加熱温度を変更する温度変更ステップと、前記温度変更ステップにて変更された温度にて、前記定着用移動部材が加熱される時間を検出する加熱時間検出ステップと、前記加熱時間検出ステップにて検出される加熱時間に応じて、前記定着用移動部材を移動させ、前記定着用移動部材を過熱から保護する保護ステップとを有することを特徴とする定着装置の温度制御方法を提供する。
【００１２】
【発明の実施の形態】
本発明の一実施形態として、複写機に用いられる定着装置を説明する。
【００１３】
図１は、カラーの複写機１の概略構成図である。複写機１は、図示矢印ａ方向に回転可能な感光体ドラム２Ｙ、２Ｍ、２Ｃ、２Ｋを備えている。感光体ドラム２Ｙの周囲には、その回転方向に沿って、帯電チャージャ３Ｙ、図示しない露光装置からの露光ポイント５Ｙ、イエローの現像剤が収容された現像器７Ｙが設けられている。感光体ドラム２Ｍ、２Ｃ、２Ｋも感光体ドラム２Ｙと同様の構成で、その周囲にそれぞれ、帯電チャージャ３Ｍ、３Ｃ、３Ｋ、図示しない露光装置からビーム光が入射する露光ポイント５Ｍ、５Ｃ、５Ｋ、現像器７Ｍ、７Ｃ、７Ｋが設けられている。ただし、現像器７Ｍにはマゼンタの現像剤、現像器７Ｃにはシアンの現像剤、現像器７Ｋにはブラックの現像剤が収容されている。
【００１４】
感光体ドラム２Ｙ、２Ｍ、２Ｃ、２Ｋの下方には、用紙を搬送する搬送ベルト９が配置されている。搬送ベルト９を介して、感光体ドラム２Ｙ、２Ｍ、２Ｃ、２Ｋとそれぞれ対面するように転写ローラ１１Ｙ、１１Ｃ、１１Ｍ、１１Ｋが配置されている。搬送ベルト９は、図示矢印ｂ方向に移動する。図示しない用紙供給装置から用紙Ｐが搬送ベルト９上に供給され、搬送ベルト９が図示矢印ｂ方向に移動することにより用紙Ｐが搬送される。搬送される用紙Ｐ上には、感光体ドラム２Ｙ、２Ｍ、２Ｃ、２Ｋ上に形成されたそれぞれの現像剤像が順次転写される。
【００１５】
搬送ベルト９の移動方向に沿って、感光体ドラム２Ｋの下流には、定着装置１３が配置されている。定着装置１３で現像剤像は加熱加圧を受けて用紙Ｐ上に定着される。
【００１６】
図２は、定着装置１３の概略断面図である。定着装置１３は、加熱手段である加熱ローラ１５と、後述する定着ベルト２１を支持し、この定着ベルト２１に所定のテンションを与えるための定着ローラ１７を備えている。加熱ローラ１５は、加熱源として５５０ｗのヒータランプ１９を内蔵している。加熱ローラ１５は図示矢印ｃ方向に回転可能に構成され、定着ローラ１７は矢印ｄ方向に回転可能に構成されている。加熱ローラ１５と定着ローラ１７には、定着用移動部材である定着ベルト２１が巻きつけられ、加熱ローラ１５と定着ローラ１７が回転することにより、定着ベルト２１が移動する。
【００１７】
定着ベルト２１を介して定着ローラ１７と対面するように、加圧手段である加圧ローラ２３が設けられている。加圧ローラ２３には、定着ベルト２１を介して定着ローラ１７との間で、不図示のスプリングにより２５０Ｎの荷重がかけられており、定着ローラ１７との間に７．５ｍｍのニップ部を形成し、定着領域を構成している。搬送ベルト９にて搬送された用紙は、このニップ部を通過する際、加熱された定着ベルト２１と接触し、加熱加圧を受けて、現像剤像が定着される。
【００１８】
加熱ローラ１５は肉厚３ｍｍのアルミパイプの芯金１５ａ上に厚さ２０μｍのポリテトラフルオロエチレン（ＰＴＦＥ）からなる被覆層をコーティングしたもので、外径３０ｍｍである。
【００１９】
定着ローラ１７は、芯金１７ａの外周面に、厚さ８ｍｍのシリコーンスポンジからなる耐熱弾性体層１７ｂが被覆されたもので、外径が３８ｍｍ、ＡＳＫＥＲ―Ｃ硬度が３５°である。耐熱弾性体層１７ｂは熱的絶縁性が高く、低荷重で上述のニップ部を確保できるという観点からスポンジが望ましい。
【００２０】
定着ベルト２１は、ニッケル等金属あるいはポリイミドなどの耐熱性樹脂により成型された薄肉のシームレスベルトを基材にし、その表面にシリコーンオイルを含浸したシリコーンゴムを被覆して構成されている。本実施形態では、定着ベルト２１は、円を構成したときの内径が７０ｍｍとなる長さで、厚さ３７μｍのニッケル電鋳からなる薄肉シームレスベルトの外周面上に、厚さ２００μｍでシリコーンオイルを含浸したシリコーンゴムを用いている。
【００２１】
加圧ローラ２３は、厚さ５ｍｍのアルミパイプからなる芯金２３ａの外周面に、厚さ１ｍｍ、ＪＩＳ―Ａ硬度２０°のシリコーンゴム層２３ｂが被覆されている。さらにこのシリコーンゴム層２３ｂの外周には厚さ３０μｍでＰＦＡ（テトラフルオロエチレンとパーフルオロアルキルビニルエーテルの共重合体）チューブ２３ｃが積層されている。加圧ローラ２３の外径は４０ｍｍ、ＡＳＫＥＲ―Ｃ硬度が８０°である。また加圧ローラ２３は、加圧ローラ２３表面の温度を安定化させるために、その内部に発熱源として４５０ｗのヒータランプ２５を内蔵している。加圧ローラ２３の温度が低すぎると、加圧ローラ２３が定着ベルト２１の熱を奪ってしまい、定着ベルト２１の温度が下がるため、定着不良を引き起こすことがある。このためヒータランプ２５にて加圧ローラ２３の表面を１４５℃程度に加熱している。但し、このヒータランプ２５は必ずしも必要なものではない。
【００２２】
さらに定着ベルト２１の外周には、現像剤の定着ベルトへのオフセット現象を防止するためシリコーンオイルを定着ベルト２１上に塗布するオイル塗布ローラ２７が接触配置されている。オイル塗布ローラ２７の外周には、オイル塗布ローラ２７に付着した現像剤や紙粉などを除去するクリーニングするクリーニングローラ２９が接触配置されている。オイル塗布ローラ２７は、芯金上にオイルが塗布された耐熱紙が巻かれており、さらにそのその外側には耐熱紙からのオイル供給量を制御しかつ離型性の高い多孔質フッ素樹脂チューブが被覆され、外径が２２ｍｍである。クリーニングローラ２９は、アルミローラ表面に厚さ２０μｍのフッ素樹脂をコーティングして構成され、外径が２１ｍｍである。
【００２３】
加熱ローラ１５表面には、加熱ローラ１５に内蔵されたヒータランプ１９の通電を制御するために、加熱ローラ１５の表面温度を検出するサーミスタ３１が配置されている。このサーミスタ３１は加熱ローラ１５の外周面に巻き付けられた定着ベルト２１表面に配置してもよい。加熱ローラ１５と同様に、加圧ローラ２３の表面には、加圧ローラ２３に内蔵されたヒータランプ２５の通電を制御するため加圧ローラ２３の表面温度を検出するサーミスタ３３が設けられている。
【００２４】
図３は、定着装置１３の動作を説明するためのブロック図である。ＣＰＵ４１は、定着ローラ１７を駆動するための図示しない定着器モータ３５へモータ駆動信号を送る。またサーミスタ３１およびサーミスタ３３の検出温度に基づいて、ヒータランプ１９およびヒータランプ２５の通電オン、オフを制御する信号を送る。ＣＰＵ４１は、タイマー４３を備えており、複写機１が記録動作を終え待機状態に入ったことを示すレディ信号が入力されると、このタイマー４３を動作させるとともに、定着器モータ３５の駆動や、ヒータランプ１９、ヒータランプ２５の通電をコントロールし、定着ベルト２１の表面が過熱されないように保護する。
【００２５】
この定着ベルトの保護について、図４に示すフローチャートに基づいて以下に詳述するが、その前にまず、複写機１が記録モードであり、記録動作を行っている場合の定着装置１３の動作について説明しておく。
【００２６】
複写機１が記録動作中は、定着装置３では、定着器モータ３５の駆動により定着ローラ１７が図示矢印ｄ方向に、１２７ｍｍ／ｓｅｃの周速で回転移動する。この回転に伴い、定着ベルト２１、加熱ローラ１５も従動回転を行っている。ＣＰＵ４１は、ニップ部付近の定着ベルト２１の温度を１６０°にするため、加熱ローラ１５の温度は１７０°になるようヒータランプ１９の通電を制御している。定着ベルト２１は、加熱ローラ１５との接触領域において加熱され、この加熱された領域は定着ベルト２１の回転により定着ローラ１７と加圧ローラ２３との間のニップ部に到達する。用紙Ｐ上に転写された未定着の現像剤像は、このニップ部を通過することにより定着ベルト２１と接触し、熱と圧力で用紙Ｐ上に定着される。
【００２７】
以下図４に基づいて定着ベルト２１の保護について説明を行う。
【００２８】
用紙Ｐの後端検知などに基づいて記録動作が終了したことが検出されるとレディ信号がＣＰＵ４１に入力され（ステップ１）、ＣＰＵ４１は図示しない複写機１に備えられたコンパネ等においてランプを点灯させてレディ状態であることを表示する（ステップ２）。それと同時に、加熱ローラ１５の温度を変更する変更手段であるＣＰＵ４１は、加熱ローラ１５の設定温度を１６０°から１９０°に切り替えるためにヒータランプ１９の通電を制御する。同時にＣＰＵ４１は、タイマ４３によるカウントをスタートさせ、加熱ローラ１５の温度が切替えられた後の定着ベルト２１の加熱時間を検出する。言い換えると、ＣＰＵ４１は、高温に設定された加熱ローラ１５による定着ベルト２１の加熱時間を検出する加熱時間検出手段でもある。
【００２９】
レディ状態では、加熱ローラ１５、定着ベルト２１などの回転は停止されるため、定着ベルト２１の温度は加熱ローラ１５に接触している部分を除き、急速に低下する。このため、加熱ローラ１５の温度を高くすることによって、レディ状態が解除された後の記録動作開始時に定着ベルト２１の周面全体の温度を、もとの設定温度である１６０°に速やかに戻すことができる。従って、ファーストコピーに要する時間を短くすることができる。
【００３０】
タイマー４３がカウントを開始してから（ステップ３）、コピー開始要求がされていないかどうかが判断され（ステップ４）、コピー要求がなくＴ１時間経過した場合には（ステップ５）、ＣＰＵ４１は定着器モータ３５をｔＡ時間駆動する（ステップ６）。一方、コピー開始要求がされていないか判断するステップ（ステップ４）において、コピー開始要求がされている場合には、通常のコピー動作が行われる（ステップ７）。
【００３１】
本実施形態においては、ｔ１を６０分、ｔＡを１分と設定している。すなわち、加熱ローラ１５が定着ベルト２１を局所的に加熱している時間が６０分に達したことを検出した場合、ＣＰＵ４１は、定着ベルト２１を１分間回転移動させる。この移動により、加熱ローラ１５によって定着ベルト２１が局所的に加熱され続けることがなくなる。言い換えると、ＣＰＵ４１は、加熱ローラ１５の温度とこの加熱ローラ１５が定着ベルト２１を加熱した時間とに基づいて、定着ベルト２１を一定時間移動させ、この移動により定着ベルト２１を局所的過熱から保護するようにしている。
【００３２】
図５に定着器モータ３５の駆動時間を示すタイミングチャートを示す。図５に示されるように、レディ状態の間は、ｔ１時間経過した後、ｔＡ時間定着器モータ３５を駆動する動作を継続して行う。
【００３３】
なお、図４のフローチャートにおいて、コピー開始要求有り無しの判断ステップ（ステップ４）でコピー要求有りと判断された場合など、途中で記録動作を要求する信号が入力された場合には、この記録動作の開始を優先させ、記録動作終了後再びレディ状態になると、図４に示される動作を再開する。
【００３４】
定着器モータ３５を駆動する時間ｔＡは、図２に示す定着ベルト２１の加熱ローラ１５に接触していた部分Ｌが、ｔＡ時間駆動され移動した後に再度加熱ローラ１５に接触しない時間を選択している。
【００３５】
このような制御を行ったところ、従来８００時間程度しか持たなかった定着ベルト２１の耐久性が２倍以上になることが確認された。従って本実施形態により、定着ベルト２１の耐久性を向上させ、かつレディ状態解除後のファーストコピーに要する時間も短縮することができる。
【００３６】
次に本発明の第２の実施形態について図６に示すフローチャートに基づいて説明する。
【００３７】
本実施形態においても、先に述べた実施形態と同じように複写機に用いられる定着装置について説明するため、複写機１、定着装置１３の構成に関しては、先の実施形態と同じものについては、同じ参照符号を用いるとともに、その説明を省略する。
【００３８】
レディ信号が入力される（ステップ１１）と、ＣＰＵ４１はコンパネ等においてランプを点灯させてレディ状態であることを表示する（ステップ１２）。同時に、ＣＰＵ４１は、加熱ローラ１５の温度を１６０°から１９０°を切り替えるためにヒータランプ１９の通電を制御し、またタイマー４３によるカウントをスタートさせる（ステップ１３）。タイマー４３がカウントを開始してから、コピー開始要求がなされていないかどうかが判断され（ステップ１４）、コピー開始要求なくｔ１時間経過したことが検出された場合には（ステップ１５）、ＣＰＵ４１は定着器モータ３５をｔＡ時間駆動する（ステップ１６）。本実施形態においてもｔ１を６０分、ｔＡを１分として設定している。
【００３９】
定着器モータ３５をｔＡ時間駆動させて、定着ベルト２１を移動させる動作をレディ状態中は繰り返すが、本実施形態においては、ＣＰＵ４１が定着器モータ３５の駆動回数、言い換えると定着ベルト２１の移動回数を検出している。定着ベルト２１の移動回数がｎ回に達したことが検出された場合（ステップ１７）、ＣＰＵ４１は加熱ローラ１５の表面温度を１９０°から１８０°になるように設定温度を切替え、ヒータランプ１９の通電を制御する。またＣＰＵ４１は、加熱ローラ１５の表面温度の設定を切り替えると同時にｔ１をｔ２（ｔ１＜ｔ２）に設定して（ステップ１８）、再びタイマーのカウントを始める。本実施形態では、ｎを３と設定し、ｔ１＝６０分からｔ２＝９０分に設定し直している。
【００４０】
本実施形態では、定着ベルト２１の移動回数を、ＣＰＵ４１がカウントしているが、定着器の移動回数ではなく、レディ状態で放置されている時間が所定の時間に達した場合に、加熱ローラ１５の温度を変更するようにしてもよい。
【００４１】
定着器モータ３５の移動が何度も行われるということは、複写機１が長時間使用されていないということであるから、加熱ローラ１５の温度の温度を下げることにより省エネを図ることができる。また加熱ローラ１５の温度を下げたことにより、定着器モータ３５をｔ１時間駆動するまでの時間を延長することができる。
【００４２】
コピー開始要求有無の判断ステップ（ステップ１４）において、コピー開始要求有りと判断された場合には、加熱ローラ１５の表面温度が所定温度、例えば１６０°以下であるか否かをチェックする（ステップ１９）。ここで、加熱ローラの温度が所定温度以下の場合には、加熱ローラ１５の設定温度を１９０°に再び上昇させ（ステップ２０）、一定時間定着ベルト２１を回転させてプレラン動作を行い（ステップ２１）定着ベルト２１の表面温度が１６０°付近まで上昇してから記録動作を開始することになる。
【００４３】
図７は、加熱ローラ１５の温度と、その温度で連続的に加熱した場合に定着ベルト２１表面のシリコーンゴム中のシリコーンオイルがゲル化しオフセット現象を引き起こすまでの加熱時間との関係を示すものである。加熱温度が２００°付近にあるときと、１８０°付近にあるときでは加熱時間は４倍近く異なることがわかる。
【００４４】
本実施形態では、定着ベルト２１の移動が何度も行われた場合には、加熱ローラ１５の温度を下げるようにしたため、温度を下げない場合に比べれば、ファーストコピー開始までに要する時間は多少長くなる。しかしながら、定着ベルト２１の耐久性向上という観点からは、本実施形態の方がより耐久性を向上させることができる上、省エネの点では大きなメリットがある。従って、省エネを優先させたい場合等にユーザが本実施形態の実施を選択できるようにしてもよい。
【００４５】
上述した実施形態において用いられる、ｔ１、ｔ２、ｔＡ、ｎにどのような値を選択するかは任意であることはいうまでもない。また本発明の趣旨を逸脱しない範囲で種々実施可能なこともいうまでもない。
【００４６】
【発明の効果】
以上説明した通り、本発明によれば、レディ解除後復帰動作に必要な時間を長くすることなく、定着ベルトの耐久性を向上させることができる。
【図面の簡単な説明】
【図１】本発明の実施形態にかかる定着器を備えた複写機の概略断面図である。
【図２】本発明の実施形態にかかる定着器の概略断面図である。
【図３】本発明の実施形態にかかる定着器の制御を説明するためのブロック図である。
【図４】本発明の実施形態にかかる定着器の動作を説明するためのフローチャートである。
【図５】本発明の実施形態にかかる定着器の駆動状態を説明するためのタイミングチャートである。
【図６】本発明の実施形態にかかる定着器の動作を説明するためのフローチャートである。
【図７】加熱ローラの温度と、定着ベルトに劣化を生じるまでの加熱時間との関係を示すグラフである。
【符号の説明】
１３・・・定着装置
１５・・・加熱ローラ
１７・・・定着ローラ
２１・・・定着ベルト
２５・・・加圧ローラ
４１・・・ＣＰＵ
【図１】
2004045868.tif 000003
【図２】
2004045868.tif 000004
【図３】
2004045868.tif 000005
【図４】
2004045868.tif 000006
【図５】
2004045868.tif 000007
【図６】
2004045868.tif 000008
【図７】
2004045868.tif 000009